(57)【要約】  本発明は、スイッチヘッドと一緒にスイッチレバーを倒すことにより、少なくとも２つの電気的接点を切替可能に配置されたスイッチヘッドおよびスイッチレバーを有する遮断器に関する。このようなトグルスイッチは、数多くの設計および構造方式が知られている。例えば電位差計のような調整エレメントも知られている。その他に現在では、プッシュスイッチと調整エレメントとを組み合わせた構成が知られている。しかし、この組み合わせは、２つの状態の間でしか遮断器の切り替えができない。本発明の課題は、複数のスイッチ状態間で切替可能であり、かつ、調整エレメントを有するトグルスイッチを提供することである。この課題は、スイッチレバー(1)が切替シャフトを有し、かつ、切替シャフト(1)の回転により調整エレメント(1)を調整できるように、切替シャフト(1)に接続した少なくとも１つの調整エレメント(4)を有する遮断器によって解決される。【選択図】図２
2012503850.tif 000002
【特許請求の範囲】
【請求項１】
スイッチヘッド(3)およびスイッチレバー(1)を備え、スイッチヘッド(3)とともにスイッチレバー(1)を倒すことにより、少なくとも２つの電気的接点が切替可能となるように調整される遮断器であって、スイッチレバー(1)は切替シャフト(1)を有し、この切替シャフト(1)に接続され、切替シャフト(1)の回転により調整可能な少なくとも１つの調整エレメント(4)を備える
ことを特徴とする遮断器。
【請求項２】
スイッチレバー(1)が切替シャフト(1)になっており、また、特にボールシートを介して保持ソケット(5)内に回転および傾倒可能に固定されている
ことを特徴とする請求項１記載の遮断器。
【請求項３】
切替シャフト(1)は、回転可能にスイッチヘッド(3)を通って延び、特に回転できるようにスイッチヘッド(3)に固定されている
ことを特徴とする請求項１または２記載の遮断器。
【請求項４】
少なくとも１つの調整エレメント(4)は、少なくとも部分的にスイッチヘッドの内部に配置されており、また、スイッチヘッド(3)に固定されている
ことを特徴とする請求項１ないし３のいずれか記載の遮断器。
【請求項５】
スイッチヘッド(3)は、特にエッジが面取りされた四角形状の横断面を有し、またリテーナ(7)にて、切替シャフト(1)の回転軸に対して平行な全ての軸を中心にしたスイッチヘッド(3)の回転が阻止されるよう案内されている
ことを特徴とする請求項１ないし４のいずれか記載の遮断器。
【請求項６】
保持ソケット(5)は、リテーナ(7)に固定されており、また、遮断器を固定するための手段を有する
ことを特徴とする請求項５記載の遮断器。
【請求項７】
少なくとも１つの調整エレメント(4)のスイッチを装着するための電線路が、スイッチレバーの傾倒と、少なくとも２つの電気的接点の切替とを妨げないようにリテーナ(7)に固定されている
ことを特徴とする請求項５または６記載の遮断器。
【請求項８】
少なくとも１つの調整エレメント(4)は、電気的調整エレメント、特に電位差計である
ことを特徴とする請求項１ないし７のいずれか記載の遮断器。
【請求項９】
少なくとも２つの互いに絶縁されたスイッチフラグ(8)を備える
ことを特徴とする請求項１ないし８のいずれか記載の遮断器。
【請求項１０】
リテーナ(7)の２つの側面に、それぞれ少なくとも１つの、特にそれぞれ２つの、互いに、特にリテーナ(7)に対しても絶縁されたスイッチフラグ(8)が配置されている
ことを特徴とする請求項１ないし９のいずれか記載の遮断器。
【請求項１１】
リテーナ(7)が、特に摺動接点を介して電気的にスイッチヘッド(3)に接続しており、スイッチヘッド(3)が少なくとも部分的に伝導力があるように形成されており、かつ、電気的接点に、少なくとも１つのスイッチフラグ(8)を設置できる
ことを特徴とする請求項１ないし１０のいずれか記載の遮断器。
【請求項１２】
リテーナ(7)および少なくとも１つのスイッチフラグ(8)の少なくともいずれか一方が、少なくとも１つの電気的導体を固定する手段を有する
ことを特徴とする請求項１１記載の遮断器。
【請求項１３】
スイッチヘッド(3)が少なくとも部分的に電気的に絶縁されて形成されており、また少なくとも３つのスイッチフラグ(3)を備えられており、スイッチレバー(1)と傾倒させると、この内の少なくとも２つをスイッチヘッド(3)を通してともに電気的接点に提供可能である
ことを特徴とする請求項１ないし１９のいずれか記載の遮断器。
【請求項１４】
少なくとも２つのスイッチフラグ(8)が、それぞれ少なくとも１つの電気的伝導体を固定する手段を有する
ことを特徴とする請求項１３記載の遮断器。
【発明の詳細な説明】
【技術分野】
【０００１】
本発明は、スイッチヘッドと一緒にスイッチレバーを倒すことにより、少なくとも２つの電気的接点を切り替えることができるように配置されたスイッチヘッドおよびスイッチレバーを有する遮断器に関するものである。
【背景技術】
【０００２】
このようなトグルスイッチは、数多く設計および構造方式があり、例えば電位差計などの調整エレメントも知られている。
【０００３】
その他に、現在の技術では、プッシュスイッチと調整エレメントとから構成される組み合わせが知られている。しかしながら、この組み合わせは、遮断器を２つの状態の間でしか切り替えることができないという問題点を有する。
【発明の概要】
【発明が解決しようとする課題】
【０００４】
したがって、本発明は、複数のスイッチ状態間で切替可能であり、かつ、その他に調整エレメントを有するトグルスイッチを提供することを目的とする。
【課題を解決するための手段】
【０００５】
この課題は、請求項１に記載された遮断器によって解決される。また、好ましい他の形態は請求項２ないし請求項１５に記載されている。
【０００６】
本発明の遮断器は、スイッチヘッドと一緒にスイッチレバーを倒すことにより、少なくとも２つの電気的接点が切替可能に配置されたスイッチヘッドおよびスイッチレバーを有する。その他にスイッチレバーは、発明に則って、切替シャフトと、切替シャフトの回転の間ずっと調整可能になるように切替シャフトに接続された少なくとも１つの調整エレメントとを備える。
【０００７】
本発明の遮断器は、トグルスイッチのスイッチレバーと、調整エレメントのための切替シャフトとを組み合わせている。
【０００８】
その場合、切替シャフトは、スイッチレバーの一部であってもよい。また、スイッチレバー自体を切替シャフトにすることもできる。
【０００９】
スイッチヘッドにより切り替えられる電気的接点は、公知の方法で実現でき、必要に応じて、当業者が適切な電気的接点を選択できる。
【００１０】
調整エレメントとして、例えば電気的または機械的調整エレメントなど、数多くの様々な技術的解決策が考えられる。このような調整エレメントとした場合、例えばバルブなどの問題に適用できる。
【００１１】
本発明の遮断器によって、非常に狭い空間に、沢山の機能のための操作エレメントを配置可能になる。これは配置スペースの節約に繋がるだけでなく、明らかに操作も容易にでき、また、操作に必要な時間を短縮できる。その上、遮断器の機能性が明らかに向上し、使用に際しての融通性を向上できる。
【００１２】
本発明の遮断器は、スイッチレバーが切替シャフトとなり、また、この切替シャフトが特にボールシートを介して回転および傾倒可能なように、保持ソケット内に固定されて形成されることが好ましい。このため、切替シャフトは、ボールシートの中に受け入れられる球形の太くなった部分を有する構成にしてもよい。
【００１３】
このような請求項２に記載された構成により、簡単で材料を節約した構造方式が可能となる。
【００１４】
切替シャフトがスイッチレバーの一部である場合は、スイッチレバーの外側の部分がボールシートの中に受け入れられる球形の太くなった部分を有する構成にすることができる。
【００１５】
しかし、切替シャフトが、例えば回転できるように軸受に取り付けられたスイッチレバーの内側の部分であれば、スイッチレバーの外側の部分が、回転および傾倒できないように軸受に取り付けられていなければならない。この場合、切替シャフトはスイッチレバー内で回転可能なように軸受に取り付けられているので、スイッチレバーの外側の部分の傾倒可能性が確保されていれば十分である。
【００１６】
特に、請求項３に記載されたように、切替シャフトが、回転可能にスイッチヘッドを通って延ばされるとともに、特にスイッチヘッドにて回転可能に軸受に取り付けられる。このような構成にするため、スイッチヘッドは、簡単な穴を有する構成にしてもよい。また、軸受、特にボールベアリングを備えた構成にもできる。
【００１７】
このような構成は、切替シャフトの回転に際し、スイッチヘッドが切替シャフトとともに回転しないため、電気的接点の切替が適切に行えるので好ましい。
【００１８】
請求項４に記載されように、調整エレメントが少なくとも部分的にスイッチヘッドの内部に配置され、かつ、強固にスイッチヘッドに結合される構成が好ましい。
【００１９】
このように配置することにより、配置スペースを節約できる。
【００２０】
好ましくは、請求項５に記載されたように、スイッチヘッドは、特にエッジが面取りされた四角形状の横断面を有し、かつ、スイッチヘッドの全ての回転が切替シャフトの回転軸に対し平行に阻止されるようにリテーナに案内されている。
【００２１】
リテーナは、スイッチヘッドの案内のため、例えば曲形の突出部、レールまたはガイドプレートを有する構成にしてもよい。
【００２２】
このような構成にすることにより、スイッチヘッドおよび切替シャフトを正確に傾倒でき、かつ、切替シャフトの回転とともにスイッチヘッドが回転しないように、スイッチヘッドの動作を制御できる。
【００２３】
また、このように設計することにより、電気的接点の切替をより正確に行うことができ、かつ、調整エレメントがその他の手はず無しにスイッチヘッドに固定でき、また、切替シャフトの回転に対しスイッチヘッドが回転せずに保持され、それによって、切替シャフトの回転の間ずっと調整エレメントの調整が可能になるので特に好ましい。さらに好ましくは、請求項６に記載されたように、保持ソケットが設けられ、かつ、リテーナに固定され、その場合、保持ソケットが遮断器を例えばケーシングに固定するための手段を有する構成である。
【００２４】
さらに好ましくは、請求項７に記載されたように、少なくとも１つの調整エレメントのスイッチ装着のための電線路を有するとともに、この電線路が少なくとも２つの電気的接点の切替を妨げないようにリテーナに固定されている構成である。
【００２５】
必要に応じてさらに好ましいのは、請求項８に記載されたように、少なくとも１つの調整エレメントを電気的調整エレメント、特に電位差計として設計することである。
【００２６】
請求項９に記載されたように、少なくとも２つの互いに絶縁されたスイッチフラグを有する構成が特に好ましい。このようなスイッチフラグは、電気的接点を形成するために使用できる。このスイッチフラグは、例えば金属薄板の切片などで形成される。
【００２７】
電気的接点を形成するためにスイッチフラグを使用することにより、このようなスイッチフラグは簡単に形成できるとともに、その可能な融通性に基づいて特に信頼性が高い接点を形成できるので特に好ましい。
【００２８】
特に、請求項１０に記載されたように、リテーナの２つの側面に、それぞれ少なくとも１つの、特にそれぞれ２つの互いに絶縁した、また特にリテーナに対しても絶縁したスイッチフラグが設けられている。
【００２９】
このような構成では、さらに、スイッチヘッドとそれぞれ１つのスイッチフラグとの間に電気的接点を形成できる。リテーナの両側に、それぞれ２つのスイッチフラグが配置されていれば、例えばスイッチヘッドを介してそれぞれ２つのスイッチフラグを重ねて押圧することによっても電気的接点を形成できる。
【００３０】
特に、請求項１１に記載されたように、スイッチヘッドは、少なくとも部分的に伝導力があるように形成され、また、リテーナに、スイッチヘッドへの電気的な接続が備えられる。このような構成では、電気的接点は、スイッチヘッドが例えばスイッチフラグに接触するだけで形成できる。このような構成において、複数のスイッチフラグが直列に配置されていれば、複数の接点段階を実現できる。その場合、最初の接点段階は、スイッチヘッドを最初のスイッチフラグに対して当接させて、電気的接点がスイッチヘッドと最初のスイッチフラグとの間に形成されることにより形成できる。第２のスイッチ段階では、例えば、最初のスイッチフラグに対して当接されているスイッチヘッドが、最初のスイッチフラグをその後のスイッチフラグに対して当接させることができる。
【００３１】
このようにして例えば抵抗カスケードを切り替えることができる。
【００３２】
その場合、特に、リテーナとスイッチヘッドとの間の電気的接点は、摺動接点を介して形成できる。また、リテーナとスイッチヘッドとの間に固定のケーブルを配設する構成にしてもよい。
【００３３】
リテーナおよび少なくとも１つのスイッチフラグの少なくともいずれか一方は、少なくとも１つの電気的導体の固定手段を有していれば、請求項１２に記載されたように、特に好ましい。
【００３４】
しかしながら必要に応じては、請求項１３に記載されたように、スイッチヘッドを少なくとも部分的に電気的に絶縁して形成し、また、少なくとも３つのスイッチフラグを備え、スイッチレバーを倒す際に、そのうちの２つがスイッチヘッドを通して共に電気的接点となる構成が好ましいこともある。このような構成は、スイッチヘッドがデッドであるという利点を有する。このように、切替シャフトまたはスイッチレバーをその後の絶縁措置を施す必要なしに、電位なしに維持することも簡単にできる。
【００３５】
請求項１４に記載されたように、少なくとも２つのスイッチフラグに、少なくとも１つの電気的導体の固定のための手段をそれぞれ設ける構成は、特に好ましい。
【図面の簡単な説明】
【００３６】
その他の利点、変更および好ましい形態は、図を用いて描写された設計事例から明らかである。この設計事例および図は、純水に模範的でかつ図式的なものであり、決してこの発明を制限するものではない。
【００３７】
各図は、それぞれ以下のものを示す。
【図１】図１は、本発明の遮断器を三次元図で示す。
【図２】図２は、本発明の遮断器の解説図を示す。
【発明を実施するための形態】
【００３８】
図１は、そのうちのそれぞれ２つがリテーナ７の一側面に位置決めされた８つのスイッチフラグ８を有する本発明の遮断器を示す。スイッチフラグ８は、互いに絶縁されるとともにリテーナ７に対しても絶縁されている。リテーナ７には、遮断器を例えばケーシングに固定するための固定手段をケーシングに固定するための固定手段を有する保持ソケット５が固定されている。また、保持ソケットを通して、回転および傾倒可能な切替シャフト１が延ばされている。切替シャフト１を倒すために、保持ソケット５には、対応する溝が設けられている。リテーナ７の内側および保持ソケット５の下側では、スイッチヘッド３を識別できる。スイッチヘッド３の内側には、スイッチヘッド３に固定された電位差計４が配置されている。この電位差計４は、切替シャフト１と接続している。
【００３９】
リテーナ７は、スイッチヘッド３が確実に傾倒可能である一方、切替シャフトの軸を中心に回転できないように、スイッチヘッド３を導くガイドエレメント９を備えている。
【００４０】
そして、ガイドエレメント９は曲形の突出部で実現される。
【００４１】
図１には、電位差計４の電気的接続部およびリード線が示されていない。
【００４２】
スイッチヘッド３は、スイッチレバーとしても使われる切替シャフト１の作動によって動かされ、まず、内部スイッチフラグ８の１つに当接し、そして、接続部において、内部スイッチフラグ８の１つを対応する外部スイッチフラグに押し付け、その内部スイッチフラグ８と外部スイッチフラグ８との間に、電気的接点を確立する。
【００４３】
このような実施形態では、２つの異なる電気的接点を切り替えることができる。その他に、切替シャフト１の回転によって電位差計４を調整できる。
【００４４】
スイッチフラグ８、その間に位置する絶縁体、およびリテーナ７のそれぞれ設けられた穴が、個々のエレメントをしっかり固定するために、止めピンまたは螺子の保持用に使用される。但し、これらによって遮断器を固定できる。
【００４５】
図２に示された解説図からは、本発明の遮断器の構成を読み取ることができる。
【００４６】
リテーナ７の右側および左側には、まず絶縁体６と、次にそれぞれ１つの内部スイッチフラグ７と、続いてその他の絶縁体６と、外部スイッチフラグ７とが配置されていることを識別できる。
【００４７】
切替シャフト１は、ボールシート中の保持ソケット５において回転および傾倒ができるように、それと一緒に固定されている球形の太くなった部分２を有する。切替シャフト１の球形の太くなった部分２より基端側は、回転可能な状態で、スイッチヘッド３の上側を通って電位差計４の内部まで延びでいる。電位差計４のケーシングは、部分的にスイッチヘッド３内に収容されて固定される。そして、切替シャフト１がスイッチヘッド３に対し回転させられると、電位差計４が調整される。
【００４８】
保持ソケット５はリテーナ７で固定されている。
【００４９】
リテーナ７は、スイッチヘッド３のためのガイドを有しており、それにより、専らボールシートまたは球形の太くなった部分２を中心にスイッチヘッドを傾倒できる一方、スイッチヘッドを切替シャフト１の軸に沿って回転させることはできない。
【００５０】
上記実施形態では、比較のため、本発明の遮断器の簡単な構成を抽出しているが、この発明によって可能になった長所を明確に示している。さらなる発展と変更は、設定された課題に応じて当業者が簡単に設計できる。特に、切替可能な電気的接点の数は、当業者により、簡単に設定された課題に合わせることができる。
【符号の説明】
【００５１】
１    切替シャフト
２    球形の太くなった部分
３    スイッチヘッド
４    電位差計
５    保持ソケット
６    絶縁体
７    リテーナ
８    スイッチフラグ
９    ガイド
【図１】
2012503850.tif 000003
【図２】
2012503850.tif 000004
【国際調査報告】
2012503850.tif 000005
2012503850.tif 000006
2012503850.tif 000007
2012503850.tif 000008
2012503850.tif 000009
2012503850.tif 000010